(57)【要約】【課題】機器に電線を接続する時に電線の接続状態を報知することが可能な利便性の高い配線装置を提供する。【解決手段】接続部１１０は、機器が備える電源である機器電源３１に電気的に接続された端子板１１１と端子板１１２とを備え、端子板１１１と端子板１１２との間に電線が差し込まれると、端子板１１１と電線とを電気的に接続する。測定部１２１は、端子板１１１と端子板１１２との間の抵抗値を測定する。報知部１４０は、測定部１２１により測定された抵抗値に基づく電線の接続状態を報知する。電圧生成部１５０は、配線装置１００の電源電圧を生成する。電力供給部１６０は、電圧生成部１５０に電力を供給する。【選択図】図３
2020201120.tif 000002
【特許請求の範囲】
【請求項１】
電線を介して外部電源から電力が供給される機器に前記電線を接続する配線装置であって、
前記機器が備える電源である機器電源に電気的に接続された第１端子板と第２端子板とを備え、前記第１端子板と前記第２端子板との間に前記電線が差し込まれると、前記第１端子板と前記電線とを電気的に接続する接続手段と、
前記第１端子板と前記第２端子板との間の抵抗値を測定する測定手段と、
前記測定手段により測定された抵抗値に基づく前記電線の接続状態を報知する報知手段と、
前記配線装置の電源電圧を生成する電圧生成手段と、
前記電圧生成手段に電力を供給する電力供給手段と、を備える、
配線装置。
【請求項２】
前記電力供給手段は、電力を蓄える蓄電手段を備え、前記蓄電手段に蓄えられた電力を前記電圧生成手段に供給する、
請求項１に記載の配線装置。
【請求項３】
前記機器電源により前記機器の電源電圧が生成されているときに、前記機器電源から前記蓄電手段に電力を供給して前記蓄電手段を充電する充電手段を更に備える、
請求項２に記載の配線装置。
【請求項４】
前記電力供給手段は、給電装置から非接触で電力を受信する非接触受電手段を備え、前記非接触受電手段が受信した電力を前記電圧生成手段に供給する、
請求項１に記載の配線装置。
【請求項５】
前記電力供給手段から前記電圧生成手段への電力の供給経路上に設けられ、前記第１端子板と前記第２端子板との間に前記電線が差し込まれたときに導通する開閉スイッチを更に備える、
請求項１から４のいずれか１項に記載の配線装置。
【請求項６】
前記電圧生成手段への電力の供給元を前記電力供給手段と前記機器電源との間で切り替える切替スイッチと、
前記機器電源により前記機器の電源電圧が生成されていないときに前記電力の供給元が前記電力供給手段になり、前記機器電源により前記機器の電源電圧が生成されているときに前記電力の供給元が前記機器電源になるように、前記切替スイッチを制御するスイッチ制御手段と、を更に備える、
請求項１から５のいずれか１項に記載の配線装置。
【請求項７】
前記抵抗値が第１抵抗閾値以上である場合に前記電線が未接続状態であると判別し、前記抵抗値が前記第１抵抗閾値よりも小さい第２抵抗閾値以下である場合に前記電線が正常接続状態であると判別し、前記抵抗値が前記第１抵抗閾値未満且つ前記第２抵抗閾値を超える場合に前記電線が接続不良状態であると判別する判別手段を更に備え、
前記報知手段は、前記判別手段による判別結果を報知する、
請求項１から６のいずれか１項に記載の配線装置。
【請求項８】
前記機器は、前記電線である第１電線と第２電線とを介して前記外部電源から電力が供給され、
前記接続手段は、前記機器電源に電気的に接続された第３端子板と第４端子板とを更に備え、前記第３端子板と前記第４端子板との間に前記第２電線が差し込まれると、前記第３端子板と前記第２電線とを更に電気的に接続し、
前記測定手段は、前記抵抗値である第１抵抗値に加え、前記第３端子板と前記第４端子板との間の抵抗値である第２抵抗値を更に測定し、
前記第１抵抗値と前記第２抵抗値とのうちいずれか一方のみが第１抵抗閾値以上である場合に前記第１電線と前記第２電線とを含む電線対が接続中状態であると判別する判別手段を更に備え、
前記報知手段は、前記判別手段による判別結果を報知する、
請求項１から６のいずれか１項に記載の配線装置。
【請求項９】
電線を介して外部電源から電力が供給される機器に前記電線を接続する配線装置と報知装置とを備える配線システムであって、
前記配線装置は、
前記機器が備える電源である機器電源に電気的に接続された第１端子板と第２端子板とを備え、前記第１端子板と前記第２端子板との間に前記電線が差し込まれると、前記第１端子板と前記電線とを電気的に接続する接続手段と、
前記第１端子板と前記第２端子板との間の抵抗値を測定する測定手段と、
前記測定手段により測定された抵抗値に基づく前記電線の接続状態を示す情報を前記報知装置に送信する送信手段と、
前記配線装置の電源電圧を生成する電圧生成手段と、
前記電圧生成手段に電力を供給する電力供給手段と、を備え、
前記報知装置は、
前記送信手段が送信した情報を受信する受信手段と、
前記受信手段が受信した情報により示される前記電線の接続状態を報知する報知手段と、を備える、
配線システム。
【発明の詳細な説明】
【技術分野】
【０００１】
本発明は、配線装置、及び、配線システムに関する。
【背景技術】
【０００２】
現在、電線を介して外部電源から電力が供給される機器に上記電線を接続するための配線装置が知られている。このような配線装置には、電線の接続状態を判別する機能を有するものがある。
【０００３】
例えば、特許文献１には、電線と端子板との間の接触抵抗の増加に伴うジュール熱の増加を検知し、電線の接続状態を判別する配線装置が記載されている。特許文献１に記載された配線装置は、電線が接続される端子装置と、端子装置の温度を測定する測定部と、測定部の測定温度が許容範囲よりも高いときに報知動作を実行する報知部とを備える。
【先行技術文献】
【特許文献】
【０００４】
【特許文献１】特開２０１８−６０８１４号公報
【発明の概要】
【発明が解決しようとする課題】
【０００５】
ところで、配線の施工時、つまり、機器に電線を接続する時に、電線の接続状態を知ることができると便利である。しかしながら、特許文献１に記載された配線装置は、外部電源から供給された電力で動作するため、機器に電線が接続され、外部電源から機器に電力が供給されるまで、動作することが困難である。このため、機器に電線を接続する時に電線の接続状態を報知することが可能な利便性の高い配線装置が望まれている。
【０００６】
本発明は、上記問題に鑑みてなされたものであり、機器に電線を接続する時に電線の接続状態を報知することが可能な利便性の高い配線装置、及び、配線システムを提供することを目的とする。
【課題を解決するための手段】
【０００７】
上記目的を達成するために、本発明に係る配線装置は、
電線を介して外部電源から電力が供給される機器に前記電線を接続する配線装置であって、
前記機器が備える電源である機器電源に電気的に接続された第１端子板と第２端子板とを備え、前記第１端子板と前記第２端子板との間に前記電線が差し込まれると、前記第１端子板と前記電線とを電気的に接続する接続手段と、
前記第１端子板と前記第２端子板との間の抵抗値を測定する測定手段と、
前記測定手段により測定された抵抗値に基づく前記電線の接続状態を報知する報知手段と、
前記配線装置の電源電圧を生成する電圧生成手段と、
前記電圧生成手段に電力を供給する電力供給手段と、を備える。
【発明の効果】
【０００８】
本発明では、配線装置が、電源電圧を生成する電圧生成手段に電力を供給する電力供給手段を備える。従って、本発明によれば、機器に電線を接続する時に電線の接続状態を報知することができる。
【図面の簡単な説明】
【０００９】
【図１】本発明の実施形態１に係る配線システムの構成図
【図２】本発明の実施形態１に係る管理装置の構成図
【図３】本発明の実施形態１に係る配線装置の構成図
【図４】接続部の動作の説明図
【図５】本発明の実施形態１に係る配線装置が実行する報知処理を示すフローチャート
【図６】本発明の実施形態２に係る給電装置及び電力供給部の構成図
【発明を実施するための形態】
【００１０】
（実施形態１）
まず、図１を参照して、本発明の実施形態１に係る配線システム１０００について説明する。配線システム１０００は、機器３０に配線しつつ、配線の施工状態を報知するためのシステムである。より詳細には、配線システム１０００は、機器３０に電線１３及び電線１４を接続しつつ、電線１３及び電線１４の接続状態を報知するシステムである。電線１３は本発明における第１電線の一例であり、電線１４は本発明における第２電線の一例である。配線システム１０００は、報知装置として機能する管理装置２０と、判別対象の機器３０について配線の施工状態を判別する複数の配線装置１００とを備える。
【００１１】
管理装置２０は、機器３０を管理する装置である。管理装置２０は、機器３０に電力を供給する機能と、機器３０と通信して機器３０を制御する機能とを有する。管理装置２０は、電線１１と電線１２とを介して交流電源１０から供給された交流電力を直流電力に変換し、変換により得られた直流電力で動作する。また、管理装置２０は、この直流電力を電線１３と電線１４とを介して機器３０に供給する。
【００１２】
管理装置２０は、電線１３と電線１４とを介して、機器３０を制御するためのコマンドを機器３０に送信する。また、管理装置２０は、電線１３と電線１４とを介して、機器３０から各種のデータを受信する。管理装置２０は、配線の施工状態を示す情報（以下、適宜「施工状態情報」という。）を受信した場合、配線の施工状態をユーザに報知する。なお、配線の施工状態は、基本的に、電線１３及び電線１４の機器３０への接続状態である。
【００１３】
図２を参照して、本発明における報知装置の一例である管理装置２０の構成について説明する。図２に示すように、管理装置２０は、制御部２１と、記憶部２２と、通信部２３と、報知部２４と、電力変換部２５と、操作受付部２６とを備える。制御部２１は、管理装置２０全体の動作を制御する。制御部２１は、例えば、記憶部２２に記憶されたプログラムに従って動作するプロセッサである。制御部２１は、例えば、ＲＯＭ（Read Only Memory）、ＲＡＭ（Random Access Memory）、ＲＴＣ（Real Time Clock）などを内蔵したＣＰＵ（Central Processing Unit）である。
【００１４】
記憶部２２は、各種のデータを記憶する。例えば、記憶部２２は、制御部２１が実行するプログラムを記憶する。また、記憶部２２は、機器３０毎に施工状態情報を記憶する。記憶部２２は、ハードディスク、フラッシュメモリなどである。通信部２３は、電線１３と電線１４とを介して、機器３０と通信する。例えば、通信部２３は、電線１３と電線１４との間の電圧を変化させたり、電線１３と電線１４との間に流す電流を変化させたりすることにより、機器３０にデータを送信する。また、通信部２３は、電線１３と電線１４との間の電圧の変化を検出したり、電線１３と電線１４との間に流れる電流の変化を検出したりすることにより、機器３０からデータを受信する。通信部２３は、例えば、シリアル通信のための通信インターフェースである。通信部２３は、本発明における受信手段の一例である。
【００１５】
報知部２４は、各種の情報をユーザに報知する。例えば、報知部２４は、画像又は音声により、配線の施工状態を機器３０毎にユーザに報知する。報知部２４は、液晶ディスプレイ、タッチスクリーン、スピーカなどである。報知部２４は、本発明における報知手段の一例である。電力変換部２５は、交流電源１０から供給された交流電力を直流電力に変換する。電力変換部２５は、例えば、整流回路、平滑回路などを備える。操作受付部２６は、ユーザから各種の操作を受け付ける。操作受付部２６は、例えば、タッチスクリーンである。管理装置２０は、例えば、照明機器を制御する照明制御装置である。
【００１６】
交流電源１０は、管理装置２０と機器３０とに電力を供給する電源である。交流電源１０は、例えば、１００Ｖ又は２００Ｖの交流電力を供給する商用電源である。電線１１と電線１２とは、交流電源１０から管理装置２０に電力を伝送するための給電線である。電線１１と電線１２とは、例えば、多芯ケーブルに含まれる２本の芯線である。電線１３と電線１４とは、管理装置２０から機器３０に電力を伝送するための給電線であり、また、管理装置２０と機器３０との間でデータを伝送するための通信線でもある。電線１３と電線１４とは、例えば、多芯ケーブルに含まれる２本の芯線である。
【００１７】
機器３０は、管理装置２０による制御に従って動作する設備機器である。機器３０は、電線１３と電線１４とを介して、管理装置２０から直流電力を受信する。機器３０は、管理装置２０から受信した電力から電源電圧を生成し、生成した電源電圧で動作する。また、機器３０は、電線１３と電線１４とを介して、管理装置２０と通信する。従って、管理装置２０と機器３０とは、電線１３と電線１４とにより相互に接続される。機器３０は、例えば、照明制御装置による制御に従って照明する照明機器である。
【００１８】
配線装置１００は、電線１３及び電線１４を介して管理装置２０から電力が供給される機器３０に、電線１３及び電線１４を接続する装置である。管理装置２０は、本発明における外部電源の一例である。配線装置１００は、機器３０に電線１３及び電線１４を接続しつつ、電線１３及び電線１４の接続状態を報知する装置である。配線装置１００は、機器３０の内部に組み込まれていてもよいし、機器３０における電線１３及び電線１４の接続部分に外付けされていてもよい。以下、図３を参照して、配線装置１００の構成について詳細に説明する。
【００１９】
図３に示すように、配線装置１００は、接続部１１０と、接続部１１４と、測定部１２１と、測定部１２２と、処理部１３０と、報知部１４０と、電圧生成部１５０と、電力供給部１６０と、記憶部１７０と、通信部１８０と、開閉スイッチ１９１と、切替スイッチ１９２と、充電部１９３とを備える。なお、図３における機器電源３１は、機器３０が備える直流電源であり、本発明における機器電源の一例である。機器電源３１は、電線１３と電線１４とを介して供給される電力から、機器３０が動作するための電源電圧であるＶｓを生成する直流電源である。
【００２０】
電源端子３２は、機器電源３１が生成した機器３０の電源電圧であるＶｓが印加される端子である。接地端子３３は、接地される端子であり、接地電位に設定される端子である。電源端子１５１は、電圧生成部１５０が生成した配線装置１００の電源電圧であるＶｃｃが印加される端子である。電源端子１６２は、電力供給部１６０が生成した電源電圧であるＶｂａｔが印加される端子である。Ｖｃｃは、Ｖｓが生成されていないときはＶｂａｔから生成され、Ｖｓが生成されているときはＶｓから生成される。本実施形態では、電力変換部２５が生成する直流電圧が２５Ｖ程度の電圧であり、ＶｓとＶｂａｔとＶｃｃとが３Ｖから５Ｖ程度の電圧であるものとする。
【００２１】
なお、ＶｂａｔはＶｓによる充電により生成されるが、充電時には電流が流れる経路上で電圧降下が生じる。従って、昇圧回路が設けられない場合、ＶｓはＶｂａｔ以上であることが好適である。また、ＶｃｃはＶｂａｔによる充電により生成される。このため、同様の理由により、ＶｂａｔはＶｃｃ以上であることが好適である。つまり、ＶｓとＶｂａｔとＶｃｃとの関係は、Ｖｓ≧Ｖｂａｔ≧Ｖｃｃであることが好適である。なお、電圧降下の影響が設計範囲内であれば、ＶｓとＶｂａｔとＶｃｃとが等しくてもよい。
【００２２】
接続部１１０は、電線１３を機器３０が備える機器電源３１に接続するためのモジュールである。接続部１１０は、例えば、速結端子である。接続部１１０は、端子板１１１と端子板１１２とを備える。端子板１１１と端子板１１２とは、例えば、導電性を有する金属板である。端子板１１１と端子板１１２とは、端子板１１１と端子板１１２との間に電線１３が差し込まれていないときに、端子板１１１と端子板１１２とが接触せず、端子板１１１と端子板１１２との間に電線１３が差し込まれているときに、端子板１１１と電線１３とが接触するとともに電線１３と端子板１１２とが接触するように、接続部１１０の本体部分に支持される。
【００２３】
従って、端子板１１１と端子板１１２との間に電線１３が差し込まれていないときは、端子板１１１と端子板１１２とが電気的に接続されない。一方、端子板１１１と端子板１１２との間に電線１３が差し込まれているときは、端子板１１１と電線１３と端子板１１２とが電気的に接続される。端子板１１１と端子板１１２とのうちの一方は、機器電源３１に電気的に接続される。従って、端子板１１１と端子板１１２との間に電線１３が差し込まれると、電線１３と機器電源３１とが電気的に接続される。本実施形態では、端子板１１１が機器電源３１に電気的に接続されているものとする。
【００２４】
接続部１１４は、電線１４を機器３０が備える機器電源３１に接続するためのモジュールである。接続部１１４は、基本的に、接続部１１０と同様の構成である。つまり、接続部１１４は、導電性を有する金属板である端子板１１５及び端子板１１６を備える。そして、端子板１１５と端子板１１６との間に電線１４が差し込まれていないときは、端子板１１５と端子板１１６とが電気的に接続されない。一方、端子板１１５と端子板１１６との間に電線１４が差し込まれているときは、端子板１１５と電線１４と端子板１１６とが電気的に接続される。そして、端子板１１５と端子板１１６とのうちの一方は、機器電源３１に電気的に接続される。従って、端子板１１５と端子板１１６との間に電線１４が差し込まれると、電線１４と機器電源３１とが電気的に接続される。本実施形態では、端子板１１５が機器電源３１に電気的に接続されているものとする。
【００２５】
端子板１１１と端子板１１２との間に電線１３が差し込まれ、更に、端子板１１５と端子板１１６との間に電線１４が差し込まれると、機器電源３１は、電線１３と電線１４とを介して、管理装置２０から電力の供給を受けることが可能となる。つまり、機器電源３１は、電線１３と電線１４との接続が完了した後に、機器３０の電源電圧であるＶｓを生成することが可能となる。接続部１１０と接続部１１４とは、本発明における接続手段の一例である。端子板１１１は本発明における第１端子板の一例であり、端子板１１２は本発明における第２端子板の一例である。端子板１１５は本発明における第３端子板の一例であり、端子板１１６は本発明における第４端子板の一例である。
【００２６】
測定部１２１は、端子板１１１と端子板１１２との間の抵抗値である第１抵抗値を測定する。例えば、測定部１２１は、端子板１１１と端子板１１２との間に流した電流の大きさと端子板１１１と端子板１１２との間に印加された電圧の大きさとの対応関係から第１抵抗値を求める。或いは、測定部１２１は、端子板１１１と端子板１１２との間に印加した電圧の大きさと端子板１１１と端子板１１２との間に流れる電流の大きさとの対応関係から第１抵抗値を求める。
【００２７】
なお、端子板１１１と端子板１１２との間のインピーダンスの成分は、抵抗成分であるレジスタンスが支配的である。つまり、端子板１１１と端子板１１２との間のレジスタンスは、電線１３の差し込みの有無で極めて大きく変化する。一方、端子板１１１と端子板１１２との間のキャパシタンス及びインダクタンスは、電線１３の差し込みの有無であまり変化しない。従って、測定部１２１は、端子板１１１と端子板１１２との間のインピーダンスを測定してもよい。測定部１２２は、端子板１１５と端子板１１６との間の抵抗値である第２抵抗値を測定する。測定部１２２は、基本的に、測定部１２１と同様の構成である。測定部１２１と測定部１２２とは、本発明における測定手段の一例である。
【００２８】
処理部１３０は、配線装置１００全体の動作を制御する。例えば、処理部１３０は、配線の施工状態を判別し、また、切替スイッチ１９２の状態を制御する。処理部１３０は、例えば、ＲＯＭ、ＲＡＭ、ＲＴＣなどを内蔵したＣＰＵを備える。処理部１３０は、判別部１３１と、スイッチ制御部１３２とを備える。
【００２９】
判別部１３１は、測定部１２１及び測定部１２２による測定結果に基づいて、配線の施工状態を判別する。例えば、判別部１３１は、第１抵抗値と第２抵抗値とのそれぞれについて、第１抵抗閾値及び第２抵抗閾値と比較する。第１抵抗閾値は、電線１３又は電線１４が接続されていないと判別するための抵抗値の下限値である。第２抵抗閾値は、電線１３又は電線１４が正しく接続されていると判別するための抵抗値の下限値である。第２抵抗閾値は、第１抵抗閾値よりも小さい。第１抵抗閾値は、例えば、１ｋΩである。第２抵抗閾値は、例えば、０．１Ωである。
【００３０】
第１抵抗値が第１抵抗閾値以上である場合、端子板１１１と端子板１１２とのうちの少なくとも一方と電線１３とが全く接触していないと考えられる。従って、判別部１３１は、第１抵抗値が第１抵抗閾値以上である場合、電線１３が未接続状態であると判別する。未接続状態は、接続部１１０又は接続部１１４に全く接続されていない状態である。一方、第１抵抗値が第２抵抗閾値以下である場合、端子板１１１と端子板１１２との両方と電線１３とが完全に接触していると考えられる。従って、判別部１３１は、第１抵抗値が第２抵抗閾値以下である場合、電線１３が正常接続状態であると判別する。正常接続状態は、接続部１１０又は接続部１１４に適切に接続されている状態である。
【００３１】
また、第１抵抗値が第１抵抗閾値未満且つ第２抵抗閾値を超える場合、端子板１１１と端子板１１２との両方と電線１３とが接触しているが、端子板１１１と端子板１１２とのうちの少なくとも一方と電線１３とが中途半端に接触していると考えられる。例えば、電線１３を被覆する絶縁体が、端子板１１１と端子板１１２とのうちの少なくとも一方と電線１３との間に挟み込まれている場合、第１抵抗値が第１抵抗閾値未満且つ第２抵抗閾値を超えると考えられる。そこで、判別部１３１は、第１抵抗値が第１抵抗閾値未満且つ第２抵抗閾値を超える場合、電線１３が接続不良状態であると判別する。
【００３２】
判別部１３１は、第２抵抗値についても第１抵抗値と同様に第１抵抗閾値及び第２抵抗閾値と判別する。つまり、判別部１３１は、電線１４が、未接続状態と正常接続状態と接続不良状態とのいずれであるのかを判別する。
【００３３】
また、判別部１３１は、第１抵抗値と第２抵抗値とのうちいずれか一方のみが第１抵抗閾値以上である場合、電線１３と電線１４とを含む電線対が接続中状態であると判別する。接続中状態は、電線１３と電線１４とのうちの一方のみが接続部１１０又は接続部１１４に、正常に又は不適切に接続されている状態である。判別部１３１は、本発明における判別手段の一例である。
【００３４】
スイッチ制御部１３２は、切替スイッチ１９２の状態を制御する。スイッチ制御部１３２は、機器電源３１により機器３０の電源電圧であるＶｓが生成されているときに電圧生成部１５０への電力の供給元が電力供給部１６０になるように、切替スイッチ１９２を制御する。また、スイッチ制御部１３２は、機器電源３１によりＶｓが生成されていないときに電圧生成部１５０への電力の供給元が電力供給部１６０になるように、切替スイッチ１９２を制御する。
【００３５】
スイッチ制御部１３２は、例えば、電源端子３２の電圧を測定するＡ／Ｄ（Analog/Digital）変換器から供給された情報に基づいて、電源端子３２の電圧を特定することができる。そして、スイッチ制御部１３２は、電源端子３２の電圧が予め定められた電圧閾値以上である場合、機器電源３１によりＶｓが生成されていると判別することができる。この電圧閾値は、例えば、Ｖｃｃであり、５Ｖである。スイッチ制御部１３２は、本発明におけるスイッチ制御手段の一例である。
【００３６】
報知部１４０は、判別部１３１による判別結果を報知する。言い換えれば、報知部１４０は、測定部１２１及び測定部１２２により測定された抵抗値に基づく配線の施工状態を報知する。報知部１４０が配線の施工状態を報知する手法は、適宜、調整することができる。例えば、報知部１４０は、音の有無、音の大きさ、音の周波数、音の発生パターン、
音声の内容などにより、配線の施工状態を報知する。或いは、報知部１４０は、発光の有無、発光強度、発光色、発光パターンなどにより、配線の施工状態を報知する。或いは、報知部１４０は、表示画像の有無、表示画像の大きさ、表示画像の形状、表示文字列の内容などにより、配線の施工状態を報知する。
【００３７】
報知部１４０は、配線の施工状態に拘わらず配線の施工状態を報知してもよいし、配線の施工状態が特定の施工状態である場合に配線の施工状態を報知してもよい。例えば、報知部１４０は、未接続状態と正常接続状態と接続不良状態とのいずれの場合においても、配線の施工状態を報知してもよい。或いは、報知部１４０は、未接続状態の場合のみ配線の施工状態を報知してもよいし、正常接続状態の場合のみ配線の施工状態を報知してもよいし、接続不良状態の場合のみ配線の施工状態を報知してもよい。或いは、報知部１４０は、未接続状態又は接続不良状態の場合のみ配線の施工状態を報知してもよい。
【００３８】
また、報知部１４０は、電線１３と電線１４とのそれぞれについて配線の施工状態を報知してもよいし、電線１３と電線１４とを含む電線対について配線の施工状態を報知してもよい。例えば、報知部１４０は、電線１３と電線１４とのそれぞれについて、未接続状態を赤色の発光色、正常接続状態を青色の発光色、接続不良状態を黄色の発光色にて報知してもよい。或いは、報知部１４０は、電線１３と電線１４との双方が未接続状態であることを赤色の発光色、電線１３と電線１４との双方が正常接続状態であることを青色の発光色、それ以外の状態であることを黄色の発光色で報知してもよい。
【００３９】
或いは、報知部１４０は、電線１３と電線１４との一方のみが未接続状態又は接続異常状態であり、電線１３と電線１４とを含む電線対が接続中状態である場合、黄色の発光色で報知してもよい。報知部１４０は、例えば、ブザー、スピーカ、ＬＥＤ（Light Emitting Diode）、ＬＣＤ（Liquid Crystal Display）などである。報知部１４０は、本発明における報知手段の一例である。
【００４０】
電圧生成部１５０は、配線装置１００の電源電圧であるＶｃｃを生成する。Ｖｃｃは、例えば、測定部１２１、測定部１２２、処理部１３０、報知部１４０、通信部１８０が動作するための電源電圧である。電圧生成部１５０は、機器電源３１から供給された電力からＶｃｃを生成してもよいし、電力供給部１６０から供給された電力からＶｃｃを生成してもよい。言い換えれば、電圧生成部１５０は、ＶｓからＶｃｃを生成してもよいし、ＶｂａｔからＶｃｃを生成してもよい。電圧生成部１５０は、生成したＶｃｃを電源端子１５１と接地端子３３との間に印加する。電圧生成部１５０は、例えば、変圧回路を備える。電圧生成部１５０は、本発明における電圧生成手段の一例である。
【００４１】
電力供給部１６０は、電圧生成部１５０に電力を供給する。つまり、電力供給部１６０は、電圧生成部１５０がＶｃｃを生成するのに必要なＶｂａｔを生成する。電力供給部１６０は、蓄電部１６１を備える。蓄電部１６１は、Ｖｂａｔを生成するのに用いる電力を蓄える。蓄電部１６１は、例えば、乾電池、充電池などである。本実施形態では、蓄電部１６１は、充電部１９３による充電が可能な充電池であるものとする。
【００４２】
蓄電部１６１は、生成したＶｂａｔを電源端子１６２と接地端子３３との間に印加する。なお、蓄電部１６１には、システムが立ち上がるまでの間、つまり、機器電源３１によりＶｓが生成されるまでの間、配線装置１００が動作可能となる程度の電力が蓄えられていればよい。電力供給部１６０は本発明における電力供給手段の一例であり、蓄電部１６１は本発明における蓄電手段の一例である。
【００４３】
記憶部１７０は、各種の情報を記憶する。例えば、記憶部１７０は、判別部１３１による判別結果を示す情報、つまり、施工状態情報を記憶する。記憶部１７０が施工状態情報を記憶する手法は、適宜、調整することができる。例えば、記憶部１７０は、判別結果に依らず施工状態情報を記憶してもよいし、特定の判別結果が出たときのみに施工状態情報を記憶してもよい。例えば、記憶部１７０は、未接続状態又は接続不良状態を示す施工状態情報のみを記憶してもよい。記憶部１７０は、例えば、フラッシュメモリである。
【００４４】
通信部１８０は、管理装置２０と通信する。例えば、通信部１８０は、電線１３と電線１４とを介して、記憶部１７０に記憶された施工状態情報を管理装置２０に送信する。通信部１８０は、通信部２３と同様の構成を有する。通信部１８０は、例えば、電線１３と電線１４との間に印加される電圧、又は、電線１３と電線１４との間に流れる電流を用いて、通信部２３と通信する。通信部１８０は、本発明における送信手段の一例である。
【００４５】
開閉スイッチ１９１は、電力供給部１６０から電圧生成部１５０への電力の供給経路上に設けられるスイッチである。開閉スイッチ１９１は、接続部１１０又は接続部１１４から加えられた力によって、状態が変化するスイッチである。開閉スイッチ１９１は、外部から受ける力によって状態が変化するスイッチであり、状態の変化に電力を要しないスイッチである。
【００４６】
開閉スイッチ１９１は、端子板１１１と端子板１１２との間に電線１３が差し込まれた場合、又は、端子板１１５と端子板１１６との間に電線１４が差し込まれた場合、電力供給部１６０から電圧生成部１５０への電力の供給経路を導通させる。また、開閉スイッチ１９１は、端子板１１１と端子板１１２との間に電線１３が差し込まれず、且つ、端子板１１５と端子板１１６との間に電線１４が差し込まれない場合、電力供給部１６０から電圧生成部１５０への電力の供給経路を遮断する。
【００４７】
図４を参照して、端子板１１１と端子板１１２との間に電線１３が差し込まれることにより開閉スイッチ１９１が遮断状態から導通状態に変化する原理について説明する。なお、遮断状態は、開閉スイッチ１９１の両端間が絶縁された開状態であり、導通状態は、開閉スイッチ１９１の両端間が電気的に接続された閉状態である。
【００４８】
電線１３は、接続部１１０に接続される先端部以外の部分が、絶縁部材１５により被覆される。端子板１１１は、例えば、図示しない電線を介して、機器電源３１に接続される。端子板１１２と開閉スイッチ１９１との間には、開閉スイッチ１９１を押圧する押圧部材１１３が設けられる。押圧部材１１３は、端子板１１２に取り付けられる。押圧部材１１３は、端子板１１２の動作に伴って開閉スイッチ１９１に対する押圧状態が変化する部材である。押圧部材１１３は、例えば、バネである。
【００４９】
電線１３が端子板１１１と端子板１１２との間に差し込まれると、端子板１１１と端子板１１２との間隔を広げる力が端子板１１１と端子板１１２とに加わる。つまり、端子板１１１には、端子板１１１から見て端子板１１２がある方向とは反対方向に向かう力が加えられる。また、端子板１１２には、端子板１１２から見て端子板１１１がある方向とは反対方向に向かう力が加えられる。言い換えれば、端子板１１２には、押圧部材１１３を開閉スイッチ１９１側に押し上げる力が加えられる。
【００５０】
このため、押圧部材１１３は、端子板１１２から加えられた力により、開閉スイッチ１９１を押圧する。開閉スイッチ１９１は、押圧部材１１３による押圧されると、遮断状態から導通状態に移行し、開閉スイッチ１９１の両端間を導通する。このように、電線１３が端子板１１１と端子板１１２との間に差し込まれると、開閉スイッチ１９１は導通状態になる。一方、電線１３が端子板１１１と端子板１１２との間から引き抜かれると、開閉スイッチ１９１は遮断状態になる。
【００５１】
なお、電線１３が端子板１１１と端子板１１２との間に差し込まれないときに開閉スイッチ１９１が遮断状態であり、電線１３が端子板１１１と端子板１１２との間に差し込まれているときに開閉スイッチ１９１が導通状態であれば、接続部１１０の構成はどのような構成であってもよい。例えば、押圧部材１１３は端子板１１２ではなく端子板１１１に取り付けられてもよいし、押圧部材１１３は端子板１１１と端子板１１２との双方に取り付けられてもよい。或いは、接続部１１０に押圧部材１１３が設けられず、端子板１１１と端子板１１２とのうちの少なくとも一方により開閉スイッチ１９１が押圧されてもよい。
【００５２】
接続部１１４は、接続部１１０と同様に、開閉スイッチ１９１の状態を変化させる。つまり、電線１４が端子板１１５と端子板１１６との間に差し込まれると、開閉スイッチ１９１は、遮断状態から導通状態に変化する。なお、本実施形態では、接続部１１０と接続部１１４とのうちの少なくとも一方に電線１３又は電線１４が差し込まれたときに開閉スイッチ１９１が導通状態であり、接続部１１０と接続部１１４とのいずれにも電線１３又は電線１４が差し込まれないときに開閉スイッチ１９１が遮断状態であるものとする。つまり、本実施形態では、開閉スイッチ１９１は、配線の施工が開始されるまで、電力供給部１６０から電圧生成部１５０への電力の供給経路を遮断する。一方、開閉スイッチ１９１は、配線の施工が開始された後は、電力供給部１６０から電圧生成部１５０への電力の供給経路を導通させる。
【００５３】
切替スイッチ１９２は、スイッチ制御部１３２による制御に従って、電圧生成部１５０への電力の供給元を電力供給部１６０と機器電源３１との間で切り替えるスイッチである。なお、スイッチ制御部１３２は、機器電源３１による電力の供給が可能でないときに電力の供給元が電力供給部１６０になり、機器電源３１による電力の供給が可能であるときに電力の供給元が機器電源３１になるように、切替スイッチ１９２を制御する。従って、切替スイッチ１９２は、機器電源３１による電力の供給が可能でないときに電力供給部１６０から電圧生成部１５０への電力の供給経路を導通させ、機器電源３１による電力の供給が可能であるときに機器電源３１から電圧生成部１５０への電力の供給経路を導通させる。
【００５４】
スイッチ制御部１３２から切替スイッチ１９２に制御信号が供給されないときの切替スイッチ１９２の状態、つまり、切替スイッチ１９２の初期状態をどのように設定するのかは、適宜、調整することができる。例えば、切替スイッチ１９２の初期状態は、電力供給部１６０から電圧生成部１５０への電力の供給経路を導通させる状態であることが好適である。
【００５５】
充電部１９３は、機器電源３１により機器３０の電源電圧であるＶｓが生成されているときに、機器電源３１から蓄電部１６１に電力を供給して蓄電部１６１を充電する。充電部１９３は、ダイオード１９４と抵抗１９５とを備える。ダイオード１９４は、蓄電部１６１から機器電源３１への電力の逆流を抑制しつつ、機器電源３１から蓄電部１６１に電力を供給するための素子である。抵抗１９５は、機器電源３１から蓄電部１６１に流れる電流を制限する抵抗である。充電部１９３は、本発明における充電手段の一例である。
【００５６】
次に、図５に示すフローチャートを参照して、配線装置１００が実行する報知処理について説明する。報知処理は、例えば、接続部１１０に電線１３が接続された場合、又は、接続部１１４に電線１４が接続された場合に開始される。
【００５７】
まず、配線装置１００は、開閉スイッチ１９１をオンする（ステップＳ１０１）。つまり、開閉スイッチ１９１は、接続部１１０への電線１３の接続、又は、接続部１１４への電線１４の接続により、電力供給部１６０から電圧生成部１５０への電力の供給を許容する導通状態に移行する。
【００５８】
配線装置１００は、ステップＳ１０１の処理が完了すると、抵抗値を測定する（ステップＳ１０２）。具体的には、測定部１２１が端子板１１１と端子板１１２との間の抵抗値である第１抵抗値を測定し、測定部１２２が端子板１１５と端子板１１６との間の抵抗値である第２抵抗値を測定する。
【００５９】
配線装置１００は、ステップＳ１０２の処理が完了すると、配線の施工状態を判別する（ステップＳ１０３）。具体的には、判別部１３１は、電線１３と電線１４とのそれぞれについて、未接続状態と正常接続状態と接続不良状態とのいずれであるのかを判別する。配線装置１００は、ステップＳ１０３の処理が完了すると、正常接続状態でない電線があるか否かを判別する（ステップＳ１０４）。具体的には、判別部１３１は、電線１３と電線１４との少なくとも一方が未接続状態又は接続不良状態であるか否かを判別する。
【００６０】
配線装置１００は、正常接続状態でない電線があると判別すると（ステップＳ１０４：ＹＥＳ）、配線の施工状態を報知する（ステップＳ１０５）。配線の施工状態を報知する手法は、適宜、調整することができる。例えば、報知部１４０は、電線１３の接続状態と電線１４の接続状態とを報知してもよいし、電線１３と電線１４の少なくとも一方が正常接続状態でない旨を報知してもよい。
【００６１】
配線装置１００は、ステップＳ１０５の処理が完了すると、配線の施工状態を記憶する（ステップＳ１０６）。具体的には、処理部１３０は、配線の施工状態を示す施工状態情報を記憶部１７０に保存する。
【００６２】
配線装置１００は、ステップＳ１０６の処理が完了すると、電圧生成部１５０への電力の供給元を電力供給部１６０に設定する（ステップＳ１０７）。具体的には、スイッチ制御部１３２は、電力供給部１６０から電圧生成部１５０への電力の供給経路を導通させるための制御信号を切替スイッチ１９２に送信する。
【００６３】
なお、正常接続状態でない電線がある場合、機器電源３１がＶｓを安定して生成することができない可能性が高く、電力の供給元として機器電源３１を設定することは望ましくないと考えられる。このため、正常接続状態でない電線がある場合に実行されるステップＳ１０７では、機器電源３１によりＶｓが生成されているか否かにかかわらず、電力の供給元が電力供給部１６０に設定される。
【００６４】
配線装置１００は、ステップＳ１０７の処理が完了すると、ステップＳ１０２に処理を戻す。以後、配線装置１００は、ステップＳ１０４にて正常接続状態でない電線がないと判別されるまで、ステップＳ１０２からステップＳ１０７の処理を繰り返す。なお、ステップＳ１０６では、施工状態情報の履歴が蓄積されてもよいし、最新の施工状態情報のみが保存されてもよい。
【００６５】
配線装置１００は、正常接続状態でない電線がないと判別すると（ステップＳ１０４：ＮＯ）、機器３０の電源電圧を測定する（ステップＳ１０８）。例えば、スイッチ制御部１３２は、電源端子３２の電圧をＡ／Ｄ変換により取得する。
【００６６】
配線装置１００は、ステップＳ１０８の処理を完了すると、機器３０の電源電圧が配線装置１００の電源電圧以上であるか否かを判別する（ステップＳ１０９）。例えば、スイッチ制御部１３２は、Ａ／Ｄ変換により取得された電源端子３２の電圧が、電圧生成部１５０が生成する電圧であるＶｃｃ以上であるか否かを判別する。配線装置１００は、機器３０の電源電圧が配線装置１００の電源電圧以上でないと判別すると（ステップＳ１０９：ＮＯ）、ステップＳ１０２に処理を戻す。
【００６７】
一方、配線装置１００は、機器３０の電源電圧が配線装置１００の電源電圧以上であると判別すると（ステップＳ１０９：ＹＥＳ）、電圧生成部１５０への電力の供給元を機器電源３１に設定する（ステップＳ１１０）。具体的には、スイッチ制御部１３２は、機器電源３１から電圧生成部１５０への電力の供給経路を導通させるための制御信号を切替スイッチ１９２に送信する。なお、機器３０の電源電圧が配線装置１００の電源電圧以上である場合、機器電源３１によりＶｓが生成されていると考えられる。そこで、ステップＳ１１０において、充電部１９３は、蓄電部１６１への充電を開始してもよい。
【００６８】
配線装置１００は、ステップＳ１１０の処理を完了すると、配線の施工状態を管理装置２０に送信する（ステップＳ１１１）。例えば、通信部１８０は、処理部１３０による制御に従って、電線１３と電線１４とを介して、記憶部１７０に記憶された施工状態情報を対象の機器３０のアドレス情報とともに管理装置２０に送信する。なお、一度も正常接続状態でない電線があると判別されず、記憶部１７０に施工状態情報が記憶されていない場合、施工状態情報は送信されない。
【００６９】
管理装置２０が備える制御部２１は、通信部２３が配線装置１００から受信した施工状態情報を、配線装置１００の識別情報と対応付けて記憶部２２に保存する。また、管理装置２０が備える制御部２１は、操作受付部２６が施工状態情報の閲覧を指示する操作をユーザから受け付けた場合、記憶部２２に記憶された施工状態情報を配線装置１００の識別情報とともに報知部２４に表示させる。かかる構成によれば、ユーザは、配線の施工が完了した後に、配線の施工過程において正常接続状態でない電線があると判別された配線装置１００を特定することが可能である。
【００７０】
配線装置１００は、ステップＳ１１１の処理を完了すると、ステップＳ１０２に処理を戻す。以後、配線装置１００は、ステップＳ１０２からステップＳ１１１の処理を繰り返す。かかる構成によれば、配線装置１００は、配線の施工後における電線１３及び電線１４の接続状態の悪化を検出及び報知することができる。なお、配線の施工時のみ配線の施工状態を報知する場合、ステップＳ１１１の処理の完了後、報知処理が終了してもよい。
【００７１】
本実施形態では、配線装置１００が、電源電圧を生成する電圧生成部１５０に電力を供給する電力供給部１６０を備える。また、本実施形態では、電力供給部１６０は、電力を蓄える蓄電部１６１を備える。従って、本実施形態では、配線装置１００は、外部から電力の供給を受けずに配線の施工状態を検出及び報知することができる。このため、本実施形態にかかる配線装置１００は、配線の施工時に配線の施工状態が報知可能であり、利便性が高い。
【００７２】
また、本実施形態では、機器電源３１によりＶｓが生成されているときに蓄電部１６１が充電される。従って、本実施形態によれば、配線の施工状態の検出及び報知が実行可能な状態を維持することが容易である。例えば、本実施形態によれば、管理装置２０による給電の停止、管理装置２０又は機器３０への配線の接続部分における配線抜けなどにより機器電源３１によるＶｓの生成ができなくなった場合においても、蓄電部１６１に蓄えられた電力により配線の施工状態の検出及び報知が実現される可能性が高い。
【００７３】
また、本実施形態では、電線１３又は電線１４の接続が検知されたときに電力供給部１６０から電圧生成部１５０への電力の供給経路を導通させる開閉スイッチ１９１が設けられる。従って、本実施形態によれば、蓄電部１６１に蓄積された電力が配線の施工が開始される前に消費されることを抑制可能である。言い換えれば、本実施形態によれば、蓄電部１６１が配線の施工前に待機消費電力を消費することが抑制され、電力不足により配線の施工時に配線の施工状態の検出及び報知ができなくなる事態が抑制される。
【００７４】
また、本実施形態では、機器電源３１によりＶｓが生成されていないときに電力供給部１６０から電圧生成部１５０に電力が供給され、機器電源３１によりＶｓが生成されているときに機器電源３１から電圧生成部１５０に電力が供給される。従って、本実施形態によれば、配線の施工後に電力供給部１６０による電力消費が抑制される。このため、蓄電部１６１の容量を小さくすることが可能となる。
【００７５】
また、本実施形態では、未接続状態と正常接続状態とに加え、接続不良状態が検出及び報知される。また、本実施形態では、電線１３と電線１４とのうち一方のみが未接続状態又は接続異常状態であることを示す接続中状態が検知及び報知される。従って、本実施形態によれば、配線の施工状態を詳細に知らせることができる。
【００７６】
また、本実施形態では、配線の施工状態の検出及び報知が繰り返して実行される。従って、本実施形態によれば、ユーザが配線の施工不備を見落とすことを抑制することができる。
【００７７】
また、本実施形態では、複数の機器３０における施工状態情報が、管理装置２０により収集、保存、及び、提示される。従って、本実施形態によれば、ユーザは、配線の施工が完了した後に、正常接続状態でない電線があると判別されたことがある機器３０を把握することができる。その結果、例えば、ユーザは、配線の施工がしにくい機器３０、配線の異常が発生しやすい機器３０などを知ることができる。
【００７８】
（実施形態２）
実施形態１では、蓄電手段の一例である蓄電部１６１を備える電力供給部１６０が、蓄電部１６１に蓄えられた電力を電圧生成部１５０に供給する例について説明した。本実施形態では、図６に示すように、非接触受電手段の一例であるコイル１６３を備える電力供給部１６６が、コイル１６３が非接触で受信した電力を電圧生成部１５０に供給する例について説明する。
【００７９】
図６に示すように、本実施形態に係る電力供給部１６６は、給電装置４０から非接触で電力を受信する。非接触とは、給電線を用いないこと、つまり、ワイヤレスであることを意味する。
【００８０】
給電装置４０は、電力供給部１６６に非接触で電力を送信する装置である。給電装置４０は、直流電源４１と、インバータ４２と、コイル４３とを備える。直流電源４１は、直流電力を供給する電源である。直流電源４１は、例えば、乾電池、充電池などである。インバータ４２は、直流電源４１から供給された直流電力を交流電力に変換する回路である。コイル４３は、インバータ４２により生成された交流電流が流れ、コイル４３に流れる電流の変化に応じてコイル４３の周囲に磁界を発生させる素子である。
【００８１】
電力供給部１６６は、コイル１６３と、整流回路１６４と、平滑回路１６５とを備える。コイル１６３は、コイル４３が発生した磁界の変化に応じた交流電流が流れる素子である。つまり、コイル１６３は、コイル４３との電磁界結合により、給電装置４０から非接触で電力を受信する素子である。整流回路１６４は、コイル１６３に流れる交流電流による交流電力を直流電力に変換する回路である。平滑回路１６５は、整流回路１６４が生成した直流電力を平滑化する回路である。平滑回路１６５は、平滑化により得られた直流電圧であるＶｂａｔを電源端子１６２と接地端子３３との間に印加する。
【００８２】
本実施形態では、電力供給部１６６は、給電装置４０から非接触で受信した電力を電圧生成部１５０に供給する。従って、本実施形態によれば、配線の施工時に給電装置４０を用いて電力供給部１６６から電圧生成部１５０に電力を供給することができ、電力供給部１６６が電圧生成部１５０に供給する電力を蓄える必然性がない。
【００８３】
（変形例）
以上、本発明の実施形態を説明したが、本発明を実施するにあたっては、種々の形態による変形及び応用が可能である。
【００８４】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は自由に組み合わせることができる。
【００８５】
例えば、実施形態１に係る電力供給部１６０が蓄電手段の一例である蓄電部１６１を備え、実施形態２に係る電力供給部１６６が非接触受電手段の一例であるコイル１６３を備える例について説明した。電力供給手段が、蓄電手段と非接触受電手段とを備えていてもよい。例えば、電力供給部１６０又は電力供給部１６６は、給電装置４０から非接触で電力を受信するコイル１６３と、コイル１６３が受信した電力を蓄える蓄電部１６１とを備え、蓄電部１６１に蓄えられた電力を電圧生成部１５０に供給してもよい。
【００８６】
実施形態１では、蓄電部１６１が充電可能である充電池である例について説明した。蓄電部１６１は、充電可能でない乾電池であってもよい。実施形態２では、給電装置４０が、コイル４３に供給する交流電力を発生させるための構成として、直流電源４１とインバータ４２とを備える例について説明した。給電装置４０は、直流電源４１とインバータ４２とに代えて、交流電源を備えてもよい。
【００８７】
実施形態１では、電線１３と電線１４とのうちのいずれか一方が接続部１１０又は接続部１１４に接続されたときに、開閉スイッチ１９１が導通する例について説明した。電線１３と電線１４との双方が接続部１１０又は接続部１１４に接続されたときに、開閉スイッチ１９１が導通してもよい。
【００８８】
実施形態１では、配線システム１０００が、照明制御装置と照明制御装置から電力の供給を受ける複数の照明装置とを備える照明システムに適用される例について説明した。配線システム１０００が他のシステムに適用されてよいことは勿論である。例えば、配線システム１０００は、空調制御装置と空調制御装置から電力の供給を受ける複数の空調装置とを備える空調システムに適用されてもよい。
【００８９】
実施形態１では、電線１３と電線１４とが、電力を伝送するための給電線として機能するだけでなく、情報を伝送するための通信線としても機能する例について説明した。電線１３と電線１４とは、通信線として機能しなくてもよい。この場合、例えば、他の通信線又は無線により、通信部２３と通信部１８０とが通信することが好適である。
【００９０】
電源の種類、電源電圧などは、実施形態１で示したものに限定されないことは勿論である。例えば、管理装置２０は、電線１３と電線１４とを介して、直流電力ではなく交流電力を機器３０に供給してもよい。また、ＶｓとＶｂａｔとＶｃｃとは、どのような電圧であってもよい。なお、ＶｓとＶｂａｔとはＶｃｃ以上であることが好適であるが、例えば、電圧生成部１５０が昇圧回路を備えている場合、ＶｓとＶｂａｔとがＶｃｃ未満であってもよい。同様に、充電を考慮すると、ＶｓはＶｂａｔ以上であることが好適であるが、例えば、電力供給部１６０が昇圧回路を備えている場合、ＶｓがＶｂａｔ未満であってもよい。
【００９１】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００９２】
本発明は、電線により複数の機器が接続されたシステムに適用可能である。
【符号の説明】
【００９３】
１０  交流電源、１１，１２，１３，１４  電線、１５  絶縁部材、２０  管理装置、２１  制御部、２２，１７０  記憶部、２３，１８０  通信部、２４，１４０  報知部、２５  電力変換部、２６  操作受付部、３０  機器、３１  機器電源、３２，１５１，１６２  電源端子、３３  接地端子、４０  給電装置、４１  直流電源、４２  インバータ、４３，１６３  コイル、１００  配線装置、１１０，１１４  接続部、１１１，１１２，１１５，１１６  端子板、１１３  押圧部材、１２１，１２２  測定部、１３０  処理部、１３１  判別部、１３２  スイッチ制御部、１５０  電源生成部、１６０，１６６  電力供給部、１６１  蓄電部、１６４  整流回路、１６５  平滑回路、１９１  開閉スイッチ、１９２  切替スイッチ、１９３  充電部、１９４  ダイオード、１９５  抵抗、１０００  配線システム
【図１】
2020201120.tif 000003
【図２】
2020201120.tif 000004
【図３】
2020201120.tif 000005
【図４】
2020201120.tif 000006
【図５】
2020201120.tif 000007
【図６】
2020201120.tif 000008